(57)【要約】【課題】耐衝撃性を維持した上で、軽くて軽快に動けるスポーツ用保護具を提供する。【解決手段】衝撃から体を保護するスポーツ用保護具１０において、体に着けられ、かつ耐衝撃吸収性を有するインナーウェアと、体の表面に出る、相対的に軽量かつ薄手のアウターウェア１５とを備えている。また、頭に着けられ、かつ耐衝撃吸収性を有するヘッドギヤと、ヘッドギヤの上に着けられる相対的に軽量かつ薄手のヘルメット２１とを備えている。【選択図】図２
2019205544.tif 000002
【特許請求の範囲】
【請求項１】
衝撃から体を保護するスポーツ用保護具において、
前記体に着けられ、かつ耐衝撃吸収性を有する軟質体と、
前記体の表面に出る、相対的に軽量かつ薄手の硬質体とを備えたことを特徴とするスポーツ用保護具。
【請求項２】
請求項１に記載のスポーツ用保護具において、
前記軟質体は、道着の中に着るアンダーウェアであり、前記硬質体は、前記道着の上に着るアウターウェアであることを特徴とするスポーツ用保護具。
【請求項３】
請求項１に記載のスポーツ用保護具において、
前記軟質体は、頭に着けられるヘッドギヤであり、前記硬質体は、前記ヘッドギヤの上に着けられるヘルメットであることを特徴とするスポーツ用保護具。
【請求項４】
請求項３に記載のスポーツ用保護具において、
前記ヘルメットは、前記頭の一部に密着して配置されるタイト部と、
前記頭のうちの前記一部を除く他部にゆとりを持って配置され、顎を保護する顎部カバーが取り付けられたルーズ部とに分割されており、
前記タイト部と前記ルーズ部との間にダンパーが設けられていることを特徴とするスポーツ用保護具。
【発明の詳細な説明】
【技術分野】
【０００１】
本発明は、競技者やスポーツマンのためのスポーツ用保護具に関し、詳しくは身体用の保護具に関する。
【背景技術】
【０００２】
従来、空手、テコンドーおよび日本拳法などの試合や練習の際に、相手の突きや蹴りから身体を防護するための保護具が知られている(特許文献１及び特許文献２参照)。
【０００３】
特許文献１には、少なくとも胸及び腹部の前部及び側部を覆う保護具が記載されている。特許文献１に記載の保護具は、比較的に薄い硬質板とこの前後に同様な大きさの比較的厚い弾性樹脂板とを積層させ、これらの全体の外表面を布地又は撓曲自在な皮革或いは合成皮革などからなる袋体で被った形態になっている。
【０００４】
特許文献２には、顔及び頭部を被う武道用面保護具が記載されている。その武道用面保護具は、顔の前に配置される格子状の保護構造部材の内側にクッション部材が設けられている。クッション部材は、保護構造部材を支持する硬質クッションシートとその内側に配置された軟質クッションシートとの多層構造になっている。
【先行技術文献】
【特許文献】
【０００５】
【特許文献１】実用新案登録第３０３５７７２号公報
【特許文献２】特開２００８−２６４２２８号公報
【発明の概要】
【発明が解決しようとする課題】
【０００６】
上記特許文献１及び特許文献２に記載の保護具は、いずれも衝撃力を分散させる硬質な部材の内側に、衝撃力を吸収する軟質のクッション部材を貼り合わせて一体的に積層した構成になっている。
【０００７】
具体的には、特許文献１に記載の弾性樹脂板は、ウレタンやラバーなどの合成樹脂フォームで厚み略３０ｍｍより大きくして作られている。硬質板は、ジュラルミンなどの金属材或いはポリエチレンもしくはＡＢＳ樹脂などの硬質樹脂材で厚みを数ｍｍから十数ｍｍにして作られている。このような弾性樹脂板と硬質板とを一体的に貼り合わせた保護具は、道着の上に着けた際に、硬質板の内側に設けられた弾性樹脂板が分厚くて重く、かつその外皮側に設けられた硬質樹脂材が嵩張って動きづらい、という問題がある。さらに、道着の上から着るため、道着との間にいくらかの隙間が生じている。このため、体の動きにより保護具が揺らいで体の動きを阻害することがある。
【０００８】
特許文献２に記載の武道用面保護具は、金属鋼線で格子状に作られた保護構造部材の内側に厚いクッション部材を設けた構成になっている。このように金属製の保護構造部材と厚いクッション部材とを一体的に固定した構造では、重量が重くなって動き難いという問題がある。特に頭や顔用の保護具は、衝撃を受けた際にそれ自体の重量が荷重になるため、重くなるほど頭や顔に対する衝撃の面で安全性が低下する。
【０００９】
ところで、空手としては、西暦２０２０年に行われる東京オリンピック競技に採用された伝統空手における寸止め空手が知られている。寸止め空手では、拳や蹴りを深くまで突かないで直ぐに引きをとる等、ダメージの軽減を計っている。しかし、力の集約がなければならない極め技が判定のポイントとされるため、あからさまに力を抜いた攻撃ではポイントにならない。そのため、試合では十分な寸止めができず相手に衝撃を与えてしまうことがある。寸止め空手用の保護具は、万一攻撃が当たってしまった場合における安全性を考慮したものであり、攻撃を受け止めるためのものではない。そのため、寸止め空手では、どちらかというと安全性よりも、軽くて軽快に動ける保護具が望まれている。
【００１０】
本発明は、耐衝撃性を維持した上で、軽くて軽快に動けるスポーツ用保護具を提供することを目的とする。
【課題を解決するための手段】
【００１１】
上記の目的を達成するために、本発明は、衝撃から体を保護するスポーツ用保護具において、前記体に着けられ、かつ耐衝撃吸収性を有する軟質体と、前記体の表面に出る、相対的に軽量かつ薄手の硬質体とを備えたことを特徴とするものである。
【００１２】
本発明では、前記軟質体は、道着の中に着るアンダーウェアであり、前記硬質体は、前記道着の上に着るアウターウェアであってもよい。
【００１３】
また、本発明では、前記軟質体は、頭に着けられるヘッドギヤであり、前記硬質体は、前記ヘッドギヤの上に着けられるヘルメットであってもよい。
【００１４】
さらに、本発明では、前記ヘルメットは、前記頭の一部に密着して配置されるタイト部と、前記頭のうちの前記一部を除く他部にゆとりを持って配置され、顎を保護する顎部カバーが取り付けられたルーズ部とに分割されており、前記タイト部と前記ルーズ部との間にダンパーが設けられていてもよい。
【発明の効果】
【００１５】
本発明のスポーツ用保護具は、体に着けられかつ耐衝撃吸収性を有する軟質体と、体の表面に出る相対的に軽量かつ薄手の硬質体とに分けて着るため、耐衝撃性を維持した上で、軽くて軽快に動くことができる。
【図面の簡単な説明】
【００１６】
【図１】本発明にかかる保護具を構成するアンダーウェアの一例を示す斜視図である。
【図２】図１に示した保護具を構成するアウターウェアの一例を示す斜視図である。
【図３】ヘッドギヤの一例を示す正面図である。
【図４】図３に示したヘッドギヤの側面図である。
【図５】図３に示したヘッドギヤの背面図である。
【図６】ヘルメットの一例を示す斜視図である。
【図７】顎部カバーを上げた状態のヘルメットを示す斜視図である。
【図８】顔の正面から後面に沿って縦に切断した面保護具の一例を示す断面図である。
【図９】顔の右側面から左側面に沿って縦に切断した面保護具の一例を示す断面図である。
【図１０】判定用のセンサーを設けたアウターウェアを示す斜視図である。
【発明を実施するための形態】
【００１７】
以下、本発明にかかるスポーツ用保護具の一例である空手用保護具について説明する。なお、以下で説明する実施形態は、本発明を具体化した場合の例を示すに過ぎず、本発明を限定するものではない。
【００１８】
図１は、空手用保護具を構成するアンダーウェアの一例を示す斜視図である。図２は、図１に示す保護具を構成するアウターウェアの一例を示す斜視図である。図１及び図２に示すように保護具１０は、頭及び顔を保護する面保護具１１と、少なくとも胸、腹及び脇腹を保護する胴保護具１２とを備える。
【００１９】
胴保護具１２は、道着１３の中に着けるインナーウェア１４と、道着１３の上に着けるアウターウェア１５とによって構成されている。インナーウェア１４は、体に着けられ、かつ耐衝撃吸収性を有するウェアである。例えばインナーウェア１４は、少なくとも胸、腹、及び左右の脇腹を含む上半身の特定領域を被う形態であればよい。インナーウェア１４は、体の表面に出る、相対的に軽量かつ薄手のウェアである。つまり、インナーウェア１４は、アウターウェア１５よりも軽くて軟質で、かつ衝撃を吸収する衝撃吸収部材、例えばクッション性を有する部材で作られている。
【００２０】
具体的には、インナーウェア１４は、軽快に動けるように伸縮性を持ち、かつ衝撃を吸収することができるように、例えばストレッチ性を有する部材に衝撃吸収部材をプラスした部材で作られていてもよい。このような部材で作ると、薄手生地のため道着１３やアウターウェア１５に干渉せず、かつ伸縮性もよく体にしっかりフィットする。また、インナーウェア１４としては、例えば薄くて衝撃吸収力の高いパットを外皮部材に複数内蔵したパッド内蔵型のウェアであってもよい。パッドは、少なくとも胸、腹、左右の脇腹等の各部位への衝撃を緩和する位置、又は前記各部位に存在する筋肉に合わせた位置に設けるのが好適である。このような部材で作られたインナーウェア１４を着けると、例えば前者のものではストレッチ性を有する部材が伸びるため、また後者のものでは複数のパッドの間が折れ曲がるため、体の凹凸に密着して着けることができ、かつ軽量であるので軽快に動ける。
【００２１】
また、インナーウェア１４は、体の大きさに応じて複数種類のサイズのものが用意されていてよい。また、コンパクトに折り畳めるように折り目があってもよい。折り目は、少なくとも胸と腹との境や腹と左右の脇腹との境に設けられていてよい。
【００２２】
インナーウェア１４としては、道着１３の下に着けるため、吸水速乾性、かつ通気性の高い部材を使用してもよい。これによれば、汗によるムレを軽減することができる。また、インナーウェア１４としては、高い消臭機能を有する部材を使用してもよいし、抗菌及び防臭処理剤で処理した部材を使用してもよい。さらに、インナーウェア１４としては、家庭の洗濯機等で丸洗いしても型崩れし難い特性や縮まない特性を有していてもよい。
【００２３】
アウターウェア１５は、軽快に動け、かつ衝撃を分散することができるように、インナーウェア１４に比べて相対的に軽くかつ硬質で、かつ相対的に薄く作られている。アウターウェア１５としては、適度な弾性をもつ部材で作られていてもよいが、プロテクター的機能を持たせるために、衝撃吸収性よりも衝撃分散性に優れた部材で作るのが好適である。アウターウェア１５は、少なくともインナーウェア１４の領域を被う形態、すなわち道着１３の上から胸、腹、及び左右の脇腹を含む上半身の特定領域を被う形態であればよい。
【００２４】
例えば空手等の格闘技では、拳による突きは想像以上の衝撃があり、また蹴りは計り知れない衝撃になる。このため、アウターウェア１５としては、軽量で衝撃に強い炭素繊維のプラスチック（カーボン）等のプラスチック複合材料やジュラルミン等の金属材料で作られていてよい。このようなアウターウェア１５は、薄くかつ軽くて衝撃分散性を有する部材で作られるため、道着１３を挟んでインナーウェア１４と重ね合わせて着ても動きやすく、かつ安全性が高いものになる。
【００２５】
例えばアウターウェア１５は、体の大きさに応じて復数種類のサイズのものが用意されていてよく、また、コンパクトに折り畳めるように折り目があってよい。折り目としては、少なくとも胸と腹との間や腹を左右の脇腹との間にそれぞれ設けられていてよい。また、アウターウェア１５としては、持ち運びし易いように複数のパーツに分離可能になっていてもよい。この場合には、例えば胸、腹、及び左右の脇腹を含む複数の特定領域に分割可能に構成されていてよい。
【００２６】
また、アウターウェア１５に係合部を設け、インナーウェア１４に被係合部を設けて、道着１３を挟んで係合部と被係合部とを係合させること（引っ掛けてつなぐこと）でアウターウェア１５をインナーウェア１４に一体的に取り付ける構造であってよい。この場合、例えば係合部はアウターウェア１５の内面に設けられた凸部及び凹部のうちの一方であり、また、被係合部はインナーウェア１４の外面に設けられた前記一方とは異なる他方であってよい。このような構成にすると、体に密着しているインナーウェア１４と一緒にアウターウェア１５及び道着が動くことになる。このため、アウターウェア１５及び道着がインナーウェア１４とズレて動くことが抑制され、よって軽快に動くことができる。なお、開口部を道着１３に設け、開口部を通して前述した係合部と被係合部とを係合させるように構成してもよい。
【００２７】
本実施形態では、前述した係合部及び被係合部の構成が無くても衝撃を分散させるアウターウェア１５と、衝撃を吸収するインナーウェア１４とを道着１３の内と外とに分けて着るように構成している。このため、体の動きが制約され難く、よって、体が動き易くなる。しかも、アウターウェア１５よりも厚くて重いインナーウェア１４の方を道着１３の下に体に密着して着るため、体と一体となって動ける。このため、インナーウェア１４は、体の動作を妨げることを抑制できる。インナーウェア１４は、本発明の実施形態における軟質体の一例であり、また、アウターウェア１５は、本発明の実施形態における硬質体の一例である。
【００２８】
インナーウェア１４の後には、肩紐や胴紐等の連結具が設けられている。胴紐は、左右の脇腹部から背中側に伸びて設けられた、いわゆる帯体である。一対の胴紐を背中側で縛ることでインナーウェア１４が体に密着して固定される。また、一対の胴紐の代わり、胴紐よりも幅広の胴バンドを設けるとともに、一対の胴バンドの先端側に面ファスナーをそれぞれ設け、互いの面ファスナーを重ね合わせることにより体に密着するように着装可能な構成にしてもよい。
【００２９】
肩紐は、インナーウェア１４の左右の肩部から背中側にそれぞれ伸びて設けられている。肩紐は、背中でタスキ掛けにして縛ることで着装する構成であってよい。勿論、前述したように一対の肩紐の代わりに、一対の肩バンドを設け、一対の肩バンドの先端側に面ファスナーをそれぞれ設けて、互いの面ファスナーを胴バンドの面ファスナーに合わせる等により着装可能な構成にしてもよい。一対の面ファスナーは、一方の面ファスナーが雄型係合素子を、また他方の面ファスナーが雌型係合素子を有しており、それら係合素子を重ね合わせることで互いが連結されるものであり、周知のマジックテープ(登録商標)やベルクロ(登録商標)であってよい。連結具を面ファスナーで構成すると、紐で縛る構成と比べて短時間で着脱することができる。
【００３０】
アウターウェア１５の連結部は、インナーウェア１４と同じ又は同様に、背中に設けられた面ファスナー等であってもよい。また、面ファスナーの代わりに、紐通し孔と縛り紐との組み合わせであってもよい。
【００３１】
面保護具１１は、頭に着けるヘッドギヤ２０と、ヘッドギヤ２０の上に被るヘルメット２１とを備える。ヘッドギヤ２０は、アウターウェア１５よりも軽くて軟質で、かつ衝撃を吸収する衝撃吸収部材で作られている。ヘッドギヤ２０は、インナーウェア１４と同じ部材で作られていてもよい。
【００３２】
ヘルメット２１は、帽体の形状をしており、ゴーグル２２、及び顎部カバー２３を備えている。ゴーグル２２は、透明な材料で作られており、ヘルメット２１の前方に取り付けられて目を保護している。なお、ゴーグル２２は、必須の構成ではなく、スポーツの種類に応じて適宜省略してもよい。顎部カバー２３は、主に下顎を保護するようにヘルメット２１に取り付けられている。ヘルメット２１は、ヘッドギヤ２０の上に密着する形状になっており、ヘッドギヤ２０に比べて相対的に軽くかつ硬質でかつ薄く作られている。ヘルメット２１は、例えば軽量で衝撃に強い炭素繊維のプラスチック（カーボン）等のプラスチック複合材料や、硬くかつ柔らかいという相反する特性を持つ高分子材料等で作られていてよい。
【００３３】
また、ヘルメット２１に設けられた係合部と、ヘッドギヤ２０に設けられた被係合部とを係合させることで、ヘルメット２１がヘッドギヤ２０に一体的に固定される構成であってもよい。例えば係合部は、ヘッドギヤ２０の表面に設けられた凸部又は凹部のうちの一方であってよく、また被係合部は、ヘルメット２１の内面に設けられた前記一方とは異なる他方であってよい。ヘッドギヤ２０は、本発明の実施形態における軟質体の一例であり、またヘルメット２１は、本発明の実施形態における硬質体の一例である。
【００３４】
図３は、ヘッドギヤの一例を示す正面図、図４は、図３に示したヘッドギヤの側面図、図５は、図３に示したヘッドギヤの背面図をそれぞれ示す。図３に示すようにヘッドギヤ２０は、少なくとも頭、顔、及び左右の耳を被う形態になっており、クッション性を有する材料で作られている。ヘッドギヤ２０の前方には、前方開口部２６が設けられている。前方開口部２６は、視野を広く確保するために、略横長矩形のサイズで作られている。また、ヘッドギヤ２０には、前方開口部２６の下に顎保護部２５が設けられている。顎保護部２５は、衝撃を最も受けやすい顎を保護するために他の部分よりも厚く作られている。なお、前方開口部２６は、目に限らず、鼻をも露呈する開口であってもよい。
【００３５】
図４に示すように顎保護部２５は、上顎及び下顎の前方を被う前部保護部２５ａ、下顎の下部を保護する下部保護部２５ｂ、及び顎の右側方を保護する右側部保護部２５ｃを有している。なお、顎保護部２５は、右側部保護部２５ｃの反対側に、顎の左側方を保護する左側部保護部２５ｄ（図８参照）を有する。ヘッドギヤ２０には、頭を挿入するための下方開口部２７が下方に設けられている。下方開口部２７から頭を挿入すると、下部保護部２５ｂが下顎に引っ掛かって下方開口部２７から頭が抜けないようにヘッドギヤ２０が固定される。
【００３６】
図５に示すようにヘッドギヤ２０は、頭を挿入するための後方開口部２９を有し、後方開口部２９の両側には、左帯部３０、及び右帯部３１が設けられている。左右の帯部３０，３１には、面ファスナーがそれぞれ設けられている。後方開口部２９は、左右の帯部３０，３１を重ねて面ファスナーを合わせることで帯部３０，３１が固定されて塞がれる。面ファスナーの合わせ位置は、調整可能であるので、頭の形に合わせてヘッドギヤ２０を密着した状態に固定することができる。なお、ヘッドギヤ２０は、面ファスナーを使用して固定する構成に限らず、例えば紐通し孔と縛り紐との組み合わせで固定する構成であってもよい。
【００３７】
図６は、ヘルメットの一例を示す斜視図である。図７は、顎部カバー２３を上げた状態のヘルメット２１を示す斜視図である。例えば寸止め空手では、顎への攻撃が許されているが、その攻撃先が誤ると目に当たることがある。そこで、ヘルメット２１は、目を保護するためのゴーグル２２を備えている。ゴーグル２２は、ヘルメット２１に一体的に固定されており、透明かつ軽量で剛性を有する材料、例えば強化プラスチック又は樹脂ガラス等で作られている。なお、ゴーグル２２を開閉可能に設けてもよい。この場合には、例えば図６に示す使用位置とその位置から上方に回転してヘルメット２１の内部に隠れる非使用位置との間で回転するように構成すればよい。また、ゴーグル２２は、ヘルメット２１に対して交換可能なように着脱自在に取り付けられていてもよい。
【００３８】
また、例えば空手では、蹴りが計り知れない衝撃になる。試合中には蹴りが誤って口に当たることがある。そこで、ヘルメット２１は、顎を保護するための顎部カバー２３を備えている。顎部カバー２３は、軽量で剛性を有する材料で作られている。また、使用位置の際に顎部カバー２３が視野の下方にかかることがある。さらに、非使用位置の際に顎部カバー２３を通して視野を確保したいことがある。そこで、顎部カバー２３を透明（半透明を含む）な材料で作るのが好適である。また、顎部カバー２３を透明な材料で作る場合に顎部カバー２３に必要な強度が確保できない場合には、例えば格子状又は網目状に作った金属製或いは樹脂製のフェンス等を顎部カバー２３としてもよい。
【００３９】
顎部カバー２３を作るための剛性を有する材料としては、例えば強化繊維材（ガラス繊維、カーボン繊維等）に熱硬化性樹脂材（エポキシ樹脂材、フェノール樹脂材等）を含浸させた強化繊維樹脂材（ＧＦＲＰ、ＣＦＲＰ等）又は、熱可塑性樹脂材（ポリカーボネート等）等、軽量でありながら剛性を有するものであってよい。さらに、金属（鉄、及び鉄を主成分とする合金）、或いは、非鉄金属（アルミニウム、マグネシウム、チタン、銅等、及びこれらを主成分とする合金）を用いることもできる。また、顎部カバー２３は、軽量で可撓性を有する材料で作られていてもよい。可撓性を有する材料としては、例えばＡＢＳ樹脂材（アクリロニトリル、ブタジエン、スチレン共重合合成樹脂材）、アクリル樹脂材、及びエポキシ樹脂材等であってよい。さらに、顎部カバー２３は、多層構造であってもよい。多層構造としては、例えば可撓性を有する材料により形成された外層部材と、剛性を有する材料により形成された内層部材とを一体化したものであってもよい。
【００４０】
さらに、顎部カバー２３は、開閉自在に取り付けられていてもよい。例えばヘルメット２１の左右方向に沿う軸心を回転中心として上下方向に回転可能なように、ヒンジ３２により顎部カバー２３を軸支して、顎部カバー２３を図６に示した使用位置と図７に示した非使用位置との間で開閉可能に顎部カバー２３を構成してもよい。顎部カバー２３を開閉可能なように構成すると、ヘルメット２１を被り易くなる。つまり、非使用位置では、図７に示すように顎部カバー２３がゴーグル２２の前面に移動された状態になる。このような状態になると、ヘルメット２１の下部３３が開放されて、ヘルメット２１の着脱が容易になる。使用位置では、図６に示すよう顎部カバー２３が顎保護部２５の外側に配置されて顎を保護する位置になる。また、顎部カバー２３をヘルメット２１に対して交換可能な構成にしてもよい。この場合には、ヒンジ３２の位置で着脱可能に構成するのが好適である。
【００４１】
ヘルメット２１は、表に出る帽体の領域がタイト部３５とルーズ部３６とに二分割されている。タイト部３５は、例えば頭における上部の領域で、かつ頭に実質的に隙間無く密着される部分である。ルーズ部３６は、例えば頭における下部の領域、つまり後頭部及び顎関節を含む部位を被う部分であり、その部位との間に僅かな隙間を空けて配置される。ヒンジ３２は、ルーズ部３６に取り付けられている。タイト部３５及びルーズ部３６は、衝撃エネルギを減衰するためのダンパー３８を介して接続されている。ダンパー３８は、顎部カバー２３に加わる衝撃がルーズ部３６からタイト部３５に伝わることを抑制する。
【００４２】
例えば寸止め空手では、後頭部への攻撃が違反の場合が多い。このため、ヘルメット２１を二分割にする境界としては、後頭部を含む領域をタイト部３５とし、その領域を除く領域で、かつ顎部カバー２３を支持する領域をルーズ部３６にすればよい。
【００４３】
ダンパー３８としては、ゴム等を用いた弾性体や、チューブにエアーを気密に入れたクッション体等を用いることができる。ダンパー３８は、ルーズ部３６から伝達される衝撃を緩和又は吸収してタイト部３５に伝達される衝撃を抑制することができる。
【００４４】
なお、タイト部３５及びルーズ部３６は、一部が重なるように配置されていてもよい。また、ヘルメット２１を分割する数は、タイト部３５とルーズ部３６との２つに限らず、３つ以上であってもよい。この場合は、複数に分割した領域のうちの少なくとも一つをタイト部３５とし、残りをルーズ部３６とするとともに、その少なくとも一つのタイト部３５とそのタイト部３５に隣接する一つ又は複数のルーズ部３６との間にダンパー３８を設ければよい。
【００４５】
図８は、面保護具を顔の正面から後面に沿って縦に切断したヘルメットの一例を示す断面図である。図９は、図８に示した顔の右側面から左側面に沿って縦に切断した面保護具の断面図である。図８及び図９に示すようにヘッドギヤ２０が頭に密着している。ヘッドギヤ２０は、頭頂部開口部４０、衝撃吸収部材である第１クッション部４１を備えている。頭頂部開口部４０は、頭頂部に対応する部分に開口して設けられている。第１クッション部４１は、頭頂部開口部４０の周辺、つまり前頭部、側頭部および後頭部を含む部分に設けられており、外部からの衝撃を吸収する。第１クッション部４１は、前頭部と後頭部との間、及び右側頭部と左側頭部との間をそれぞれ挟み込むように設けられている。このため、ヘッドギヤ２０は、後頭部に設けた面ファスナーの締め付けにより第１クッション部４１が頭部を前後左右から挟み込むため、頭に強固に密着する。
【００４６】
顎保護部２５における前部保護部２５ａは、顎の前面（上顎及び下顎の先端部（おとがい部）の前面）に当接しており、また、下部保護部２５ｂは、下顎の先端部から下顎の下に向けた範囲に当接しており、さらに、右側部保護部２５ｃ及び左側部保護部２５ｄは、顎の先端部から顎関節に向けた右側下顎部及び左側下顎部に当接している。このような顎保護部２５は、少なくとも第１クッション部４１よりも厚い衝撃吸収部材によって前述したように顎の全部（前面、下面及び左右側面）を防護している。このため、顎に対する安全性が向上する。また、顎部カバー２３は、前部保護部２５ａを被う前部カバー２３ａ、及び下部保護部２５ｂを被う下部カバー２３ｂを備えている。前部カバー２３ａ及び下部カバー２３ｂは、顎部カバー２３が使用位置の際に、前部保護部２５ａ及び下部保護部２５ｂの前面に当接した状態になる。このように下部カバー２３ｂを備えることで、顎の下を更に保護することができるとともに、顎部カバー２３が非使用位置に向けて不用意に回転するのを防止することができる。なお、前方開口部２６とは別に、口を露呈させるための口用開口部を顎保護部２５に設けてもよい。さらに、口用開口部の代わりに、外部に開口されていない口用窪み部を顎保護部２５の内側に設けてもよい。口用開口部や口用窪み部を設けることで、顎保護部２５が口を塞ぐことに感じる圧迫感を取り除くことができる。
【００４７】
タイト部３５は、表皮側である硬質部４４と、その内側に設けられた第２クッション部４５とを備えている。第２クッション部４５は、衝撃吸収性を有する部材で作られており、ヘルメット２１を被った際に、少なくとも第１クッション部４１の上に密着する位置に設けられている。例えば第２クッション部４５は、第１クッション部４１よりも硬質の特性を有しており、第１クッション部４１の上に載せられた際に、第１クッション部４１を窪ませることで第１クッション部４１に凹凸嵌合して密着する構成であってよい。このようにすると、タイト部３５は、第１クッション部４１に凹凸嵌合しているため、ヘッドギヤ２０に対してズレることが防止又は抑制される。
【００４８】
なお、第１クッション部４１と第２クッション部４５とが略同じ硬さの場合には第２クッション部４５に設けられた係合部と第１クッション部４１に設けられた被係合部とを係合させることで、タイト部３５がヘッドギヤ２０に密着する構成にしてもよい。例えば係合部は、互いに係合する凸部及び凹部のうちの一方であってよく、また、被係合部は前記一方とは異なる他方であってよい。
【００４９】
また、ルーズ部３６の内側に第３クッション部を設けていてもよい。第３クッション部は、第２クッション部４５よりも薄くされていてもよい。また、第３クッション部は、後頭部と顎関節を含む領域とのうちの少なくとも一方と、ルーズ部３６の内側との間に隙間を持って配置されていてもよい。
【００５０】
また、第３クッション部は、ルーズ部３６の内側のうちの耳を被う部分に設けられていてもよい。このように構成すると、耳を被うルーズ部３６の外側の部分にヒンジ３２が設けられているので、顎部カバー２３を介して伝達される衝撃から耳を保護することができる。また、第３クッション部の内側には、ヘッドギヤ２０が配置されている。このため、ヘッドギヤ２０と第３クッション部との両方で耳を保護することができる。第３クッション部のうち、耳を被う部分は、耳の周りを被うようにリング状の形態であってもよい
【００５１】
ルーズ部３６は、顎部カバー２３を支持している。顎部カバー２３は、使用位置にて前述したように顎保護部２５に当接するように配置されている。顎部カバー２３は、衝撃を分散させる硬質部材で作られている。顎部カバー２３に衝撃が加わると、分散された衝撃を、クッション性を有する顎保護部２５と顎部カバー２３を支持するルーズ部３６に設けられたダンパー３８とで吸収する。これにより、顎部カバー２３に伝達される衝撃を防止又は抑制することができる。
【００５２】
顎部カバー２３は、顎保護部２５との間に隙間を持つように配置されていてもよい。顎保護部２５との間に隙間をもって顎部カバー２３を配置することで、衝撃を吸収する機能を顎部カバー２３に持たせることができる。つまり、顎部カバー２３に衝撃が加わった際に隙間が潰れることで、顎部カバー２３に加わる衝撃力を決める要素である加速度が低下する。このため、顎保護部２５に伝達される衝撃を抑制することができる。
【００５３】
図１０は、判定用のセンサーを設けたアウターウェアを示す斜視図である。例えば寸止め空手の試合では、審判が打撃の有効性を判定している。有効又は無効を判定する要素には、打撃の位置がある。打撃は、瞬時に行われるため、審判の目視では判定が正確に行われ難い面がある。そこで、図１０に示すアウタ−ウェア１５及びヘルメット２１には、同図に○印で示したように打撃が有効と判定される特定の範囲４６にセンサーが設けられている。特定の範囲４６の個数は、一つでもよいし、複数でもよい。
【００５４】
センサーとしては、感圧導電性ゴムを用いてもよい。感圧導電性ゴムは、シリコーンゴムと金属又はカーボン粒子とを組み合わせた複合材料で、圧力の刺激に応じて絶縁状態から導電状態へと抵抗変化を示すものであり、衝撃により厚み方向に加圧されることによって、内部の金属又はカーボン粒子が接触するために導電性を有する。感圧導電性ゴムは、例えばフレキシブル基板に取り付けられていてよい。フレキシブル基板には、検出部及び出力部が実装されている。検出部は、感圧導電性ゴムの電気抵抗値の変化が予め決められた閾値を超えた際に、打撃有りとする検出信号を送出する。出力部は、検出部から得られる検出信号を外部に出力する。出力部は、無線式が望ましく、よって送信機であってよい。
【００５５】
感圧導電性ゴムは、アウターウェア１５、及び顎部カバー２３の表面、或いは表面に近い内部に設けられていてよい。検出部及び送信機の組は、アウタ−ウェア１５及びヘルメット２１の内部にそれぞれ埋め込まれていてもよい。また、ヘルメット２１とヘッドギヤ２０とを係合部と被係合部とで係合させるタイプでは、係合部と被係合部との間を電気的に通信可能にすることで検出部及び送信機の組又は送信機のみをヘッドギヤ２０に設けることができる。なお、センサーに加えられる打撃を緩和してセンサーを保護するために感圧導電性ゴムにカバー部材を設けてもよい。
【００５６】
また、センサーとしては、感圧導電性ゴムに限らず、例えばひずみゲージを使用してもよい。ひずみゲージは、薄く平面的に作れるので、厚みの薄い部材に設けるには好適である。ひずみゲージは、アウタ−ウェア１５や顎部カバー２３の変形に伴って電気抵抗が変化する。ひずみゲージを用いる場合にも前述した検出部及び送信部を備えていてよい。このようなひずみゲージをアウタ−ウェア１５の外側に貼り付けてもよいし、アウタ−ウェア１５に埋め込んでもよい。
【００５７】
例えば試合会場の審判席或いはその近傍には、判定部が設けられている。判定部は、送信機から打撃信号を受ける受信器を備えている。判定部は、受信器で受けた打撃信号に基づいて打撃の有りの表示を行う。これにより、誤判定を防ぐことができる。なお、表示としては、少なくとも視覚又は聴覚を通じて、つまりランプや音等により表示すれば、試合の進行が円滑に行えるので好適である。受信機に送られる信号は、打撃の位置情報と強さ情報とを持っていてよい。判定部は、これら情報に基づいて有効か無効かを判定するように構成されていてもよい。
【００５８】
以上、本発明にかかる実施形態について具体的に説明したが、本発明は上記実施形態に限られたものではなく、趣旨を逸脱しない範囲で適宜変更することが可能である。上記実施形態において示した各構成部材の形状や組み合せなどは一例であって、設計要求などに基づき種々変更可能である。例えば各実施形態で説明した保護具は、空手等の格闘技に限らず、野球における捕手用の保護具や、アイスホッケー用の保護具等に使用することができる。また、本発明の保護具は、胴保護具及び面保護具として説明しているが、例えば下半身の特定領域を保護具するものであってもよい。さらに、上記各実施形態で説明した保護具は、股間の急所を保護する股間部保護具、手の甲を保護する保護具、あるいは足すねを保護する保護具等と組み合わせて使用することができる。
【符号の説明】
【００５９】
１０…保護具、  １１…面保護具、  １２…胴保護具、  １３道着、  １４…インナーウェア、  １５…アウターウェア、  ２０…ヘッドギヤ、  ２１…ヘルメット、  ２２…ゴーグル、  ２３…顎部カバー、  ３５…タイト部、  ３６…ルーズ部、  ３８…ダンパー。
【図１】
2019205544.tif 000003
【図２】
2019205544.tif 000004
【図３】
2019205544.tif 000005
【図４】
2019205544.tif 000006
【図５】
2019205544.tif 000007
【図６】
2019205544.tif 000008
【図７】
2019205544.tif 000009
【図８】
2019205544.tif 000010
【図９】
2019205544.tif 000011
【図１０】
2019205544.tif 000012